(57)【要約】【課題】機種毎に形状が異なる画像表示ユニット取付台に、機種毎に共通の基板台を介して基板を取り付けることができ、しかもその基板台の装着のために画像表示ユニット取付台の設計自由度が大きく制限されることのない遊技機を提供する。【解決手段】基板を遊技盤の裏側で保持する基板台２４と、画像表示ユニットを遊技盤の裏側で保持する画像表示ユニット取付台２１とを備え、画像表示ユニット取付台２１の背面側に、画像表示ユニットを後側から装着可能な画像表示ユニット装着部４４を設けた遊技機で、基板台２４上に、この基板台２４の固定に用いることが可能な被固定孔７１を複数設け、画像表示ユニット取付台２１の背面側における画像表示ユニット装着部４４の周辺部に、基板台２４の被固定孔７１の一部に対応する複数の固定部７３ａ〜７３ｃ，７４ａ〜７４ｃを有する基板台装着部６３を設けた。【選択図】図５
2010273908.tif 000002
【特許請求の範囲】
【請求項１】
画像表示ユニット（４５）が装着された遊技盤（５）と、所定の基板（２３）を前記遊技盤（５）の裏側で保持する基板台（２４）と、前記画像表示ユニット（４５）を前記遊技盤（５）の裏側で保持する画像表示ユニット取付台（２１）とを備え、前記画像表示ユニット取付台（２１）の背面側に、前記画像表示ユニット（４５）を後側から装着可能な画像表示ユニット装着部（４４）を設けた遊技機において、前記基板台（２４）上に、当該基板台（２４）の固定に用いることが可能な被固定孔（７１）を複数設け、前記画像表示ユニット取付台（２１）の背面側における前記画像表示ユニット装着部（４４）の周辺部に、前記基板台（２４）の前記被固定孔（７１）の一部に対応する複数の固定部（７３ａ〜７３ｇ，７４ａ〜７４ｅ）を有する基板台装着部（６３）を設けたことを特徴とする遊技機。
【請求項２】
前記画像表示ユニット装着部（４４）には、前記画像表示ユニット（４５）の一端側を係脱自在に保持する第１保持部（５４）と、該第１保持部（５４）により前記画像表示ユニット（４５）の一端側が保持された状態で前記画像表示ユニット（４５）の他端側を解除可能に保持する第２保持部（５５）とを備え、前記基板台（２４）を前記基板台装着部（６３）に装着したとき、前記基板台（２４）が前記画像表示ユニット装着部（４４）における前記第１保持部（５４）側の一部に後側から被さるように構成されていることを特徴とする請求項１に記載の遊技機。
【請求項３】
前記画像表示ユニット装着部（４４）を前向き凹入状に形成し、前記固定部（７３ａ〜７３ｇ，７４ａ〜７４ｅ）のうちの少なくとも一部を、前記画像表示ユニット装着部（４４）の外周面から前記画像表示ユニット（４５）の背面に沿って突出する突出部（８１）上に設けたことを特徴とする請求項１又は２に記載の遊技機。
【請求項４】
前記固定部（７３ａ〜７３ｇ，７４ａ〜７４ｅ）はねじ止め基部（７３ａ〜７３ｇ）と位置決め突起（７４ａ〜７４ｅ）とを含み、前記被固定孔（７１）はそれらねじ止め基部（７３ａ〜７３ｇ）と位置決め突起（７４ａ〜７４ｅ）との何れにも対応するように形成されていることを特徴とする請求項１〜３の何れかに記載の遊技機。
【請求項５】
前記基板（２３）は、前記遊技盤（５）に装着された演出手段（１９）と、前記遊技盤（５）の裏側に装着され且つ前記演出手段（１９）を制御する演出制御基板（２５）との接続を中継する中継基板（２３）であることを特徴とする請求項１〜４の何れかに記載の遊技機。
【発明の詳細な説明】
【技術分野】
【０００１】
本発明は、画像表示ユニットが装着された遊技盤の裏側に、例えば遊技盤に装着された演出手段とそれらを制御する演出制御基板との接続を中継する演出中継基板等、異なる機種間で共通に用いられる基板を配置した遊技機に関するものである。
【背景技術】
【０００２】
パチンコ機等の遊技機に用いられている遊技盤には、その裏側に液晶表示装置等の画像表示ユニット、主制御基板や演出制御基板等の各種制御基板の他、例えば遊技盤の前側に設けられたランプ等の各種演出手段と演出制御基板との接続を中継する演出中継基板等の中継基板が搭載されている。
【０００３】
この種の遊技機では、例えば主制御基板、演出制御基板等の制御基板については夫々基板ケースに収容した状態で制御基板取付台の後側に互いに隣接させた状態で配置し、中継基板については、例えば制御基板取付台の内側、即ち主制御基板と遊技盤との間に主制御基板と平行に配置したものが多い（例えば特許文献１）。
【先行技術文献】
【特許文献】
【０００４】
【特許文献１】実開平７−１７２８２号公報
【発明の概要】
【発明が解決しようとする課題】
【０００５】
最近の遊技機では、遊技領域やその内部に配置される遊技部品の大型化に伴い、制御基板取付台の内側、即ち主制御基板と遊技盤との間に中継基板配置用の空間を確保することが難しくなってきている。また、従来のように中継基板を主制御基板の近くに平行に配置すると、中継基板側から主制御基板側にノイズ等の悪影響が及び易いという問題もある。
【０００６】
そのような問題を解消するためには、中継基板を、画像表示ユニットを遊技盤の裏側で保持する画像表示ユニット取付台の背面側に、主制御基板や演出制御基板と隣接するように配置することが考えられる。
【０００７】
しかしながら、画像表示ユニット取付台は、画像表示ユニットのサイズ等に応じて機種毎に形状変更される場合が殆どであるため、この画像表示ユニット取付台に中継基板を装着する場合、中継基板が共通部品であったとしても、その中継基板を取り付けるための中継基板台を画像表示ユニット取付台に合わせて機種毎に形状変更する必要があり、コスト高になる問題がある。
【０００８】
また、中継基板台を共通化し、その中継基板台の取付構造に合わせるように機種毎の画像表示ユニット取付台を設計することも考えられるが、中継基板台の共通化のために、遊技機としてより重要な部分の設計自由度を大きく制限することになるとすれば本末転倒である。
【０００９】
本発明は上記事情に鑑みてなされたものであり、機種毎に形状が異なる画像表示ユニット取付台に、機種毎に共通の基板台を介して基板を取り付けることができ、しかもその基板台の装着のために画像表示ユニット取付台の設計自由度が大きく制限されることのない遊技機を提供することを目的とする。
【課題を解決するための手段】
【００１０】
本発明は、画像表示ユニット４５が装着された遊技盤５と、所定の基板２３を前記遊技盤５の裏側で保持する基板台２４と、前記画像表示ユニット４５を前記遊技盤５の裏側で保持する画像表示ユニット取付台２１とを備え、前記画像表示ユニット取付台２１の背面側に、前記画像表示ユニット４５を後側から装着可能な画像表示ユニット装着部４４を設けた遊技機において、前記基板台２４上に、当該基板台２４の固定に用いることが可能な被固定孔７１を複数設け、前記画像表示ユニット取付台２１の背面側における前記画像表示ユニット装着部４４の周辺部に、前記基板台２４の前記被固定孔７１の一部に対応する複数の固定部７３ａ〜７３ｇ，７４ａ〜７４ｅを有する基板台装着部６３を設けたものである。
【発明の効果】
【００１１】
本発明によれば、機種毎に形状が異なる画像表示ユニット取付台２１に、機種毎に共通の基板台２４を介して基板２３を取り付けることができ、しかもその基板台２４の装着のために画像表示ユニット取付台２１の設計自由度が大きく制限されることもない。
【図面の簡単な説明】
【００１２】
【図１】本発明の第１の実施形態を示すパチンコ機の全体正面図である。
【図２】同じく遊技盤の全体背面図である。
【図３】同じく集球ケース、各種基板ケースを取り外した状態での遊技盤の背面図である。
【図４】同じく裏ケース、画像表示ユニット及び中継基板台の分解斜視図である。
【図５】同じく裏ケース及び中継基板台の背面図である。
【図６】同じく裏ケースに対する中継基板台の固定構造を示す斜視図である。
【図７】同じく図３におけるＡ−Ａ断面図である。
【図８】本発明の第１の実施形態を示す集球ケース、各種基板ケースを取り外した状態での遊技盤の背面図である。
【図９】同じく裏ケース、画像表示ユニット及び中継基板台の分解斜視図である。
【図１０】同じく裏ケース及び中継基板台の背面図である。
【図１１】同じく裏ケースに対する中継基板台の固定構造を示す斜視図である。
【図１２】同じく図８におけるＢ−Ｂ断面図である。
【発明を実施するための形態】
【００１３】
以下、本発明の実施形態を図面に基づいて詳述する。図１〜図７は本発明をパチンコ機に採用した第１の実施形態を例示している。なお、以下の説明における上下左右の方向については、特に基準を示さない限り遊技機本体を前側から見た場合の上下左右をいうものとする。
【００１４】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１５】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１６】
遊技盤５の前側には、発射手段８により発射された遊技球を案内するガイドレール１１が環状に装着されると共に、そのガイドレール１１内の遊技領域１２には、遊技盤５の裏側に配置される画像表示手段１３の表示枠を構成する表示装飾枠１４の他、通過ゲート１５、開閉式入賞手段１６、大入賞手段１７、普通入賞手段１８等の各種遊技部品が装着されている。また、それら表示装飾枠１４等の遊技部品には、ＬＥＤ等の発光手段１９、その他の各種演出手段が設けられている。
【００１７】
また、遊技盤５の裏側には、図２に示すように、画像表示手段１３を保持する裏ケース（画像表示ユニット取付台）２１と、この裏ケース２１の下側に配置される集球ケース２２とが装着されており、裏ケース２１の背面側に、演出中継基板（所定の基板）２３が装着される中継基板台（基板台）２４、演出制御基板２５が格納される演出基板ケース２６及び図柄制御基板２７が格納される図柄基板ケース２８が例えば左右方向に並べて装着され、また集球ケース２２の背面側に、主制御基板２９が格納される主基板ケース３０が装着されている。
【００１８】
集球ケース２２は、開閉式入賞手段１６、大入賞手段１７、普通入賞手段１８等に入賞して遊技盤５の裏側に案内された遊技球を集めて下部側の排出口２２ａから回収通路（図示省略）側へと案内するためのもので、上面側と前面側とが開放した略箱形に形成されており、その開放された前面側が遊技盤５で塞がれ、上面側が裏ケース２１の下端部を下側から覆うように遊技盤５の裏面側に着脱自在に固定されている。
【００１９】
集球ケース２２の背面側には、その略中央に配置される主基板ケース３０の一端側、例えば左端側を係脱自在に保持する主基板ケース係合部３１と、その主基板ケース係合部３１により一端側が保持された状態で主基板ケース３０の他端側、例えば右端側を解除可能に保持する主基板ケースロック部３２とが設けられ、また裏ケース２１の背面側に配置される演出基板ケース２６及び図柄基板ケース２８の下端側を夫々解除可能に保持する演出基板ケースロック部３３及び図柄基板ケースロック部３４が上端側左右に設けられている。
【００２０】
また、例えば集球ケース２２の左右方向一端側、例えば右端側には、遊技盤５を前枠３側に装着したときに前枠３側のコネクタ（図示省略）に結合される遊技盤側コネクタ３５が配置されている。
【００２１】
裏ケース２１は、図３〜図５等に示すように、遊技盤５と略平行に設けられた背壁部４１と、この背壁部４１の外周側から略前向きに延設された周壁部４２と、その周壁部４２の前縁側の複数箇所において遊技盤５の裏面に沿って外向きに延設された固定部４３とで例えば前側が開放した略箱形に形成されており、表示装飾枠１４等の遊技部品を裏側から略覆うように遊技盤５の裏面側に配置され、固定部４３においてねじ止め等により着脱自在に固定されている。
【００２２】
裏ケース２１の背壁部４１には、その裏側の略中央に画像表示ユニット装着部４４が前向き凹入状に形成されており、この画像表示ユニット装着部４４に、画像表示ユニット４５が後側から嵌め込まれている。
【００２３】
ここで、画像表示ユニット４５は、図４，図７等より明らかなように、液晶表示手段等の画像表示手段１３と、この画像表示手段１３の背面及び外周面を覆う装着ケース４６とを備えており、装着ケース４６に対してその前側から画像表示手段１３が嵌め込まれ、ねじ止め等により固定されている。なお、本実施形態では、画像表示手段１３として１２インチサイズの液晶表示手段を用いているものとする。
【００２４】
また、装着ケース４６には、その一端側、例えば右端側に沿って１又は複数の被係合部４９が、他端側、例えば左端側に沿って１又は複数の被固定部５０が、夫々外向き突出状に一体形成されている。
【００２５】
画像表示ユニット装着部４４は、その凹入深さが画像表示ユニット４５の前後方向厚さよりも大きく形成されており、画像表示ユニット４５を後側から装着したとき、画像表示手段１３の前面側が画像表示ユニット装着部４４の前面板５２に略当接すると共に、画像表示ユニット４５の後部が全て画像表示ユニット装着部４４内、即ち裏ケース２１の背壁部４１よりも前側に収まるようになっている。なお、画像表示ユニット装着部４４の前面板５２上には、画像表示手段１３の表示領域に対応する開口部５３が形成されている。
【００２６】
また、画像表示ユニット装着部４４には、図４等に示すように、画像表示ユニット４５側の被係合部４９を係脱自在に保持する係合孔（第１保持部）５４と、画像表示ユニット４５側の被固定部５０を例えばねじ止めにより解除可能に保持する固定部（第２保持部）５５とが設けられている。画像表示ユニット４５を画像表示ユニット装着部４４に装着する際には、まず画像表示ユニット４５を右端側から画像表示ユニット装着部４４内に挿入して被係合部４９を係合孔５４に嵌合させ、続いて画像表示ユニット４５の左端側を画像表示ユニット装着部４４内に嵌め込んで被固定部５０を固定部５５に例えばねじ止めすればよい。
【００２７】
なお、このように画像表示ユニット４５は画像表示ユニット装着部４４への着脱を右端側から行うようになっているため、画像表示ユニット装着部４４の外周を取り囲む上下左右の背壁部４１ａ〜４１ｄのうち、固定部５５に対応する左背壁部４１ｃは、画像表示ユニット４５の着脱時に邪魔にならないように他の背壁部４１ａ，４１ｂ，４１ｄよりも後方への突出幅が小さくなっており、その左背壁部４１ｃ上に固定部５５が設けられている。また、係合孔５４は画像表示ユニット装着部４４の右周壁部５６上に設けられている。
【００２８】
裏ケース２１の背壁部４１のうち、例えば画像表示ユニット装着部４４の上側の上背壁部４１ａ上には、演出基板ケース２６及び図柄基板ケース２８の上端側を係脱自在に保持する演出基板ケース係合部５７及び図柄基板ケース係合部５８が左右に設けられている。演出基板ケース２６及び図柄基板ケース２８は、図２に示すように、それらの上端側に設けられた被係合部５９，６０を夫々演出基板ケース係合部５７，図柄基板ケース係合部５８に係合させた状態で、下端側に設けられた被固定部６１，６２を夫々集球ケース２２側の演出基板ケースロック部３３，図柄基板ケースロック部３４により解除可能に保持させることにより、夫々画像表示ユニット４５の一部を後側から覆うように装着されている。
【００２９】
また、裏ケース２１の背壁部４１のうち、係合孔５４が設けられた右周壁部５６側、例えば右背壁部４１ｄ上には、中継基板台２４を装着するための中継基板台装着部（基板台装着部）６３が設けられている。中継基板台２４は、図３等に示すように、その略全体が裏ケース２１の背壁部４１の後側に重なるように、即ち背壁部４１よりも外側には殆ど張り出さないように、例えばその右端部が右背壁部４１ｄの右端部に略沿うように中継基板台装着部６３に装着されている。
【００３０】
なお、機種によって画像表示手段１３のサイズが異なる場合であっても、画像表示手段１３を保持する裏ケース２１のサイズについては種々の制約によりそれほど大きく変更されることはない。従って、画像表示手段１３のサイズが変化すると、裏ケース２１の背壁部４１に占める画像表示ユニット装着部４４の割合が変化し、画像表示手段１３のサイズが大きいほど、中継基板台装着部６３を設けるための背壁部４１上の領域が狭くなる。特に最近の遊技機では搭載される画像表示手段１３の大型化が進んでおり、背壁部４１上に中継基板台装着部６３を設けるためのスペースを十分に確保することは難しい。
【００３１】
一方、演出中継基板２３は異なる機種間で共通に用いられる場合が多いため、中継基板台２４についても各機種で共通化することが望ましい。
【００３２】
このように、機種毎にサイズが変わらない中継基板台２４を、機種毎に広さが異なり且つ十分な広さを確保することが難しい中継基板台装着部６３に装着できるように、本実施形態のように中継基板台２４の幅よりも中継基板台装着部６３の幅が狭い場合には、中継基板台２４を、図３，図７等に示すように画像表示ユニット装着部４４側に張り出してその画像表示ユニット装着部４４の一部に後側から被さるように装着している。
【００３３】
なお本実施形態では、画像表示ユニット４５を装着する際にはまず右端側の被係合部４９を画像表示ユニット装着部４４に対してその左側から差し込んで係合孔５４に嵌合させるようになっているが、係合孔５４に対応する右背壁部４１ｄ上に中継基板台装着部６３が設けられており、中継基板台２４は画像表示ユニット装着部４４における係合孔５４側の一部に被さっているため、中継基板台２４が取り付けられた状態で画像表示ユニット４５を着脱する際にも邪魔になることはない。
【００３４】
中継基板台２４は、図５〜図７等に示すように、演出中継基板２３の裏面（前面）が対向する例えば略矩形状の底壁６４と、演出中継基板２３の外縁を取り囲むように底壁６４の外周に沿って後ろ向きに突設された周壁６５とを一体に備えている。
【００３５】
底壁６４上には、演出中継基板２３を一定の隙間を空けて支持する後ろ向き突起状の支持突部６６が、周壁６５の内周及びそれよりも内側に夫々複数設けられている。また、周壁６５のうち、例えば左周壁６５ａ上には演出中継基板２３の一端側を保持する保持部６７が、対向する右周壁６５ｂ上には、演出中継基板２３の一端側が保持部６７に保持された状態で演出中継基板２３の他端側に係脱自在に係合する係合爪６８が夫々設けられており、演出中継基板２３は、支持突部６６と保持部６７及び係合爪６８とによりその両面側から挟持された状態で周壁６５内に保持されるようになっている。
【００３６】
また、底壁６４上には、例えば円形の被固定孔７１がその略全面にわたって複数設けられると共に、それら被固定孔７１を避けた位置に例えば長孔状の通気孔７２が多数設けられている。
【００３７】
中継基板台装着部６３は、図５〜図７等に示すように、中継基板台２４上に設けられた被固定孔７１の一部に対応するように右背壁部４１ｄから後ろ向き突出状に一体形成された例えば夫々３個のねじ止め基部（固定部）７３ａ〜７３ｃ及び位置決め突起（固定部）７４ａ〜７４ｃと、中継基板台２４の裏面（前面）に当接するように右背壁部４１ｄから後ろ向き突出状に一体形成された支持リブ７５とを備えている。
【００３８】
ねじ止め基部７３ａ〜７３ｃは、中継基板台２４を中継基板台装着部６３上の所定位置に配置したときに夫々中継基板台２４側の被固定孔７１の何れか、例えば被固定孔７１ａ〜７１ｃに一致する位置に設けられており、中継基板台２４を固定するための固定ねじ７６が、中継基板台２４側の被固定孔７１を介してこのねじ止め基部７３ａ〜７３ｃにねじ込まれるようになっている。なお、ねじ止め基部７３ａ〜７３ｃは、その配置可能な範囲内で、中継基板台２４の長手方向及びそれに直交する方向の各全体にわたるように配置することが望ましい。
【００３９】
また、位置決め突起７４ａ〜７４ｃは、中継基板台２４を中継基板台装着部６３上の所定位置に配置したときに夫々中継基板台２４側の被固定孔７１の何れか、例えば被固定孔７１ｄ〜７１ｆに一致する位置に設けられており、それら被固定孔７１に夫々嵌合して中継基板台２４を位置決めするようになっている。
【００４０】
なお、本実施形態では中継基板台２４側の被固定孔７１が全て同径に形成されており、全ての被固定孔７１がねじ止め基部７３ａ〜７３ｃと位置決め突起７４ａ〜７４ｃとの何れにも対応可能となっている。
【００４１】
以上説明したように、本実施形態のパチンコ機では、中継基板台２４に当該中継基板台２４の固定に用いることが可能な被固定孔７１を複数設け、裏ケース２１の背面側における画像表示ユニット装着部４４の周辺部に、中継基板台２４の被固定孔７１の一部に対応する複数のねじ止め基部７３ａ〜７３ｃ、位置決め突起７４ａ，７４ｃを有する中継基板台装着部６３を設けているため、機種毎に形状が異なる裏ケース２１に、機種毎に共通の中継基板台２４を介して演出中継基板２３を取り付けることができ、しかもその中継基板台２４の装着のために裏ケース２１の設計自由度が大きく制限されることもない。
【００４２】
また、画像表示ユニット装着部４４には、画像表示ユニット４５の一端側を係脱自在に保持する係合孔５４と、この係合孔５４により画像表示ユニット４５の一端側が保持された状態で画像表示ユニット４５の他端側を解除可能に保持する固定部５５とを備え、中継基板台２４を中継基板台装着部６３に装着したとき、中継基板台２４が画像表示ユニット装着部４４における係合孔５４側の一部に後側から被さるように構成されているため、画像表示ユニット４５のサイズが大きく、裏ケース２１上に中継基板台装着部６３のためのスペースを十分に確保することができない場合でも中継基板台２４を装着することができ、しかもその中継基板台２４を裏ケース２１に取り付けた状態で画像表示ユニット４５の着脱を問題なく行うことができる。
【００４３】
被固定孔７１はねじ止め基部７３ａ〜７３ｃと位置決め突起７４ａ〜７４ｃとの何れにも対応するように例えば全て同径に形成されているため、ねじ止め基部と位置決め突起とに対して夫々専用の被固定孔７１を設ける場合と比べてねじ止め基部と位置決め突起との配置の自由度が向上する利点がある。
【００４４】
図８〜図１２は本発明の第２の実施形態を例示し、中継基板台２４については第１の実施形態と全く同じものを使用し、画像表示手段１３として第１の実施形態よりも大きな１５インチサイズのものを使用した例を示している。
【００４５】
本実施形態の裏ケース２１は、第１の実施形態と同様、その背壁部４１の裏側の略中央に画像表示ユニット装着部４４が前向き凹入状に形成されており、この画像表示ユニット装着部４４に、画像表示ユニット４５が後側から嵌め込まれるように構成されている。
【００４６】
画像表示ユニット装着部４４に対する画像表示ユニット４５の固定構造も第１の実施形態と基本的に同じであり、画像表示ユニット４５を画像表示ユニット装着部４４に装着する際には、まず画像表示ユニット４５を右端側から画像表示ユニット装着部４４内に挿入して被係合部４９を係合孔５４に嵌合させ、続いて画像表示ユニット４５の左端側を画像表示ユニット装着部４４内に嵌め込んで被固定部５０を固定部５５に例えばねじ止めするようになっている。
【００４７】
但し、画像表示ユニット４５を構成する画像表示手段１３が第１の実施形態よりも大きな１５インチサイズであるため、これに合わせて画像表示ユニット装着部４４も第１の実施形態よりも大きく形成されている。一方、裏ケース２１のサイズについては種々の制約により第１の実施形態と略同程度であるため、背壁部４１上に占める画像表示ユニット装着部４４の割合は第１の実施形態に比べて大きくなっており、中継基板台２４が装着される右背壁部４１ｄも第１の実施形態に比べて幅狭となっている。
【００４８】
そこで本実施形態では、図１０〜図１２等に示すように、中継基板台装着部６３を構成する複数のねじ止め基部（固定部）７３ｄ〜７３ｇのうちの例えば１つのねじ止め基部７３ｄを、右背壁部４１ｄよりも画像表示ユニット装着部４４側に配置された突出部８１上に設けている。この突出部８１は、画像表示ユニット装着部４４の外周面、例えば上周壁部８２から画像表示ユニット４５の背面に沿って画像表示ユニット装着部４４の内側、即ち下側に向けて突出するように一体に設けられている。
【００４９】
なお、本実施形態の中継基板台装着部６３は、右背壁部４１ｄ上及び突出部８１上に配置された４つのねじ止め基部７３ｄ〜７３ｇの他、例えば右背壁部４１ｄ上に２つの位置決め突起（固定部）７４ｄ，７４ｅを備えているが、それらは何れも中継基板台２４上に設けられた被固定孔７１の一部、即ち被固定孔７１ｇ〜７１ｌに対応する位置に設けられている。
【００５０】
このように、中継基板台２４には被固定孔７１がその略全面にわたって多数設けられており、この中継基板台２４が装着される裏ケース２１側に、それら多数の被固定孔７１のうちの幾つかに対応するようにねじ止め基部７３ｄ〜７３ｇ、位置決め突起７４ｄ，７４ｅを配置しているため、画像表示ユニット４５のサイズが第１の実施形態よりも大きくなっても、それに対応する裏ケース２１上に第１の実施形態と同じ中継基板台２４を取り付けることができ、しかもその中継基板台２４の装着のために裏ケース２１の設計自由度が大きく制限されることもない。
【００５１】
また、画像表示ユニット装着部４４を前向き凹入状に形成し、ねじ止め基部７３ｄ〜７３ｇ、位置決め突起７４ｄ，７４ｅのうちの例えば１つのねじ止め基部７３ｄを、画像表示ユニット装着部４４の外周面から画像表示ユニット４５の背面に沿って突出する突出部８１上に設けているため、画像表示ユニット４５のサイズが大きくなって裏ケース２１上に中継基板台２４を固定するためのスペースを十分に確保することができないにも拘わらず、中継基板台２４を安定的に固定することができ、しかもその中継基板台２４を裏ケース２１に取り付けた状態で画像表示ユニット４５の着脱を問題なく行うことができる。
【００５２】
以上、本発明の実施形態について詳述したが、本発明はこれらの実施形態に限定されるものではなく、本発明の趣旨を逸脱しない範囲で種々の変更が可能である。例えば、第１の実施形態よりも小さいサイズの画像表示手段１３を用いる場合など、裏ケース２１の背面側に中継基板台２４を取り付けるためのスペースを十分に確保することができる場合には、中継基板台２４を画像表示ユニット装着部４４の一部に後側から被さるように配置する必要はない。
【００５３】
実施形態では、画像表示ユニット装着部４４の一端側に隣接する右背壁部４１ｄ上にねじ止め基部、位置決め突起等の固定部を設けた例を示したが、ねじ止め基部、位置決め突起等の固定部は画像表示ユニット装着部４４の周辺部であればどこに設けてもよい。例えば上下の背壁部４１ａ，４１ｂ上にねじ止め基部、位置決め突起等の固定部を設け、画像表示ユニット装着部４４の後側を跨ぐように中継基板台２４を配置してもよい。
【００５４】
中継基板台２４上に設ける被固定孔７１は、機種によって例えばねじ止め用にのみ用い、位置決め用には用いない場合があってもよいし、逆に位置決め用にのみ用い、ねじ止め用には用いない場合があってもよい。被固定孔７１は、その少なくとも一部を長孔状に形成してもよい。
【００５５】
基板台２４は、異なる機種間で共通に用いられるものであればよく、中継基板を装着するものに限られるものではない。また、基板台２４に中継基板を装着する場合であっても、その中継基板は実施形態のような演出中継基板に限られるものではない。
【００５６】
また、基板台２４の大きさ、形状等は任意であり、例えば蓋付きのケース状等に形成してもよい。基板台２４に装着する中継基板等の基板は、必ずしも異なる機種間で共通である必要はなく、例えば機種毎に大きさ等が異なっていても基板台２４に装着できるものであればよい。
【００５７】
また、実施形態では本発明をパチンコ機に適用した例を示したが、アレンジボール機、スロットマシン等の各種遊技機において同様に実施可能であることは言うまでもない。
【符号の説明】
【００５８】
５  遊技盤
１９  発光手段（演出手段）
２１  裏ケース（画像表示ユニット取付台）
２３  演出中継基板（中継基板，基板）
２４  中継基板台（基板台）
２５  演出制御基板
４４  画像表示ユニット装着部
４５  画像表示ユニット
５４  係合孔（第１保持部）
５５  固定部（第２保持部）
６３  中継基板台装着部（基板台装着部）
７１  被固定孔
７３ａ〜７３ｇ  ねじ止め基部（固定部）
７４ａ〜７４ｅ  位置決め突起（固定部）
８１  突出部
【図１】
2010273908.tif 000003
【図２】
2010273908.tif 000004
【図３】
2010273908.tif 000005
【図４】
2010273908.tif 000006
【図５】
2010273908.tif 000007
【図６】
2010273908.tif 000008
【図７】
2010273908.tif 000009
【図８】
2010273908.tif 000010
【図９】
2010273908.tif 000011
【図１０】
2010273908.tif 000012
【図１１】
2010273908.tif 000013
【図１２】
2010273908.tif 000014